(57)【特許請求の範囲】
【請求項１】
第１の照明領域と第２の照明領域とが隣接して一体に形成された導光板と、該導光板の前記第１の照明領域側で前記導光板に光を入射させる光源と、前記第１の照明領域の周りのうち、前記第２の照明領域が位置する側を除く三方を囲む側壁部分及び前記第１の照明領域と重なる底壁部分を備える第１の反射材とを有する電子機器において、
前記光源は、前記第１の照明領域の第２の照明領域側と反対側の前記導光板から光を入射させ、
前記導光板には、前記第１の照明領域から前記第２の照明領域の側に向けて出射される光を部分的に遮る領域の中央位置に長穴からなる補助反射材取り付け部が形成され、
前記第１の反射材の底壁部分からは、前記補助反射材取り付け部に嵌まるように形成された補助反射材が突出し、
該補助反射材取り付け部には、前記第１の照明領域から当該補助反射材取り付け部に向かってくる光を前記第１の照明領域に向けて反射する前記補助反射材が配置され、前記導光板と前記第１の反射材とが固定されており、
前記第１の照明領域は、前記光源からの光によって所定の表示を行う電気光学装置が配置された表示領域であり、前記第２の照明領域は、複数のキーボタンが配置されたキーパッド領域であり、前記表示領域側からの光のうち前記第１の反射材の側壁部分と前記補助反射材の両端との間を通る光が前記キーパッド領域に導光されることを特徴とする電子機器。
【請求項２】
請求項１において、前記補助反射材は、前記第１の反射材と一体に形成されていることを特徴とする電子機器。
【請求項３】
請求項１または２において、前記補助反射材取り付け部は、前記第１の照明領域と前記第２の照明領域との境界部分に沿って延びていることを特徴とする電子機器。
【請求項４】
請求項１ないし３のいずれかにおいて、前記補助反射材取り付け部の前記第１の照明領域の側に位置する端面、および前記補助反射材の前記第１の照明領域の側に位置する端面には、互いに嵌まり合う凹凸が形成されていることを特徴とする電子機器。
【請求項５】
請求項１ないし４のいずれかにおいて、前記第２の照明領域には、前記第１の反射材と別体の第２の反射材が重ねられていることを特徴とする電子機器。
【請求項６】
請求項５において、前記第２の反射材は、シート状であることを特徴とする電子機器。
【請求項７】
請求項１において、前記キーパッド領域には、透光性を有する前記キーボタンが配置される複数のボタン穴が形成されていることを特徴とする電子機器。
【請求項８】
請求項１において、前記電気光学装置は、液晶装置であることを特徴とする電子機器。
【請求項９】
請求項８において、前記液晶装置は、カラー液晶装置であることを特徴とする電子機器。
【発明の詳細な説明】
【０００１】
【発明の属する技術分野】
本発明は、複数の照明領域を備えた照明装置、およびこの照明装置を用いた電子機器に関するものである。
【０００２】
【従来の技術】
携帯電話や無線機などといった電子機器では、内部に構成した照明装置によって、液晶装置にバックライト光を照射するとともに、キーボタンを内部から照明するように構成されている。
【０００３】
このような電子機器は、従来、例えば、以下に説明するように構成される。
【０００４】
図１４は、従来の携帯電話機の要部の構成を示す分解斜視図である。図１５は、この携帯電話機において、回路基板、第１の反射材、第２の反射材、導光板、光拡散シート、液晶装置を重ねた状態を示す縦断面図であり、図１６は、第１の反射材に導光板を重ねた状態を示す平面図である。
【０００５】
図１４および図１５において、従来の携帯電話機１は、下ケース６、回路基板７、照明装置１０、光拡散シート８、液晶装置４００、および上ケース９がこの順に重ねられた構成になっている。ここで、照明装置１０は、光源１１、透明なプラスチック成形品などからなる導光板１２、プラスチック成形品などからなる第１の反射材１５、およびシート状の第２の反射材１７から構成されている。
【０００６】
導光板１２には、液晶装置４００が配置される表示領域１２１が矩形の凹部として形成されているとともに、表示領域１２１に隣接する領域には、複数のキーボタン１０１が配置されるキーパッド領域１２２が形成されている。照明装置１０では、表示領域１２１の周囲のうち、キーパッド領域１２２が位置する側を除く外周端面を第１の反射材１５の側壁部分１５１、１５２、１５３が囲むようになっており、かつ、表示領域１２１の下面には、第１の反射材１５の底壁部分１５４が重なるようになっている。一方、キーパッド領域１２２には、シート状の第２の反射材１７が重ねられている。導光板１２の上端部分には、ＬＥＤなどの光源１１を配置する凹部１２３が形成されている。なお、上ケース９の操作部３、導光板１２のキーパッド領域１２２、および第２の反射材１７には、透光性を有するキーボタン１０１が配置されるボタン穴９０、１２０、１７０が形成されている。
【０００７】
このように構成した照明装置１０において、光源１１から出射された光は、導光板１２に入射し、この導光板１２に入射した光は、図１６に示すように、第１の反射材１５の側壁部分１５１、１５２、１５３および底壁部分１５４で反射しながら導光板１２内を進行して、表示領域１２１において液晶装置４００を下方から照明する。また、導光板１２に入射した光は、矢印Ｌで示すように、第１の反射材１５の側壁部分１５１、１５２、１５３および底壁部分１５４で反射しながら表示領域１２１からキーパッド領域１２２に向けて進み、キーパッド領域１２２でキーボタン１０１を照明する。従って、この照明装置１０では、共通の光源１１で表示領域１２１を照明できるとともに、キーパッド領域１２２も照明できる。このため、キーパッド領域１２２を照明するだけのボタン照明用の光源を設けるとしても、この光源については、光量が少なくて済む分、消費電力の小さなものを用いればよい。あるいは、キーパッド領域１２２を照明するだけのボタン照明用の光源については、省略することも可能である。
【０００８】
【発明が解決しようとする課題】
しかしながら、従来の照明装置１０においては、表示領域１２１からキーパッド領域１２２に向かう光の全てがキーパッド領域１２２を照明するため、表示領域１２１に照射される光量が不足するという問題点がある。それ故、液晶装置４００において、モノクロ表示を行うときには問題にならなくても、カラー表示を行おうとすると、光量が不足して品位の高い表示を行えないという問題点がある。
【０００９】
以上の問題点に鑑みて、本発明の課題は、１枚の導光板によって２つの領域を照射する照明装置、およびこの照明装置を用いた電子機器において、２つの領域に光をバランスよく照射することのできる構成を提供することにある。
【００１０】
【課題を解決するための手段】
上記課題を解決するため、本発明では、第１の照明領域と第２の照明領域とが隣接して一体に形成された導光板と、該導光板の前記第１の照明領域側で前記導光板に光を入射させる光源と、前記第１の照明領域の周りのうち、前記第２の照明領域が位置する側を除く三方を囲む側壁部分及び前記第１の照明領域と重なる底壁部分を備える第１の反射材とを有する電子機器において、前記光源は、前記第１の照明領域の第２の照明領域側と反対側の前記導光板から光を入射させ、前記導光板には、前記第１の照明領域から前記第２の照明領域の側に向けて出射される光を部分的に遮る領域の中央位置に長穴からなる補助反射材取り付け部が形成され、前記第１の反射材の底壁部分からは、前記補助反射材取り付け部に嵌まるように形成された補助反射材が突出し、該補助反射材取り付け部には、前記第１の照明領域から当該補助反射材取り付け部に向かってくる光を前記第１の照明領域に向けて反射する前記補助反射材が配置され、前記導光板と前記第１の反射材とが固定されており、前記第１の照明領域は、前記光源からの光によって所定の表示を行う電気光学装置が配置された表示領域であり、前記第２の照明領域は、複数のキーボタンが配置されたキーパッド領域であり、前記表示領域側からの光のうち前記第１の反射材の側壁部分と前記補助反射材の両端との間を通る光が前記キーパッド領域に導光されることを特徴とする。
【００１１】
本発明において、光源から出射された光は、導光板に入射し、第１の反射材の側壁部分などで反射しながら第１の照明領域に照射される。また、導光板には、第１の照明領域から第２の照明領域の側に向かって出射された光を部分的に遮る位置に補助反射材取り付け部が形成され、この補助反射材取り付け部には補助反射材が配置されているため、第１の照明領域から第２の照明領域に向かう光は、一部が補助反射材によって第１の照明領域に向けて反射し、残りの光は、第２の照明領域に向かって進んで第２の照明領域を照射する。従って、共通の光源で第１の照明領域を照明できるとともに、第２の照明領域も照明できる。それ故、第２の照明領域を照明するだけの光源を設けるとしても、この光源については、光量が少なくて済む分、消費電力の小さなものを用いればよい。あるいは、第２の照明領域を照明するだけの光源については、省略することも可能である。さらに、第１の照明領域から第２の照明領域に向かう光の一部は、補助反射材によって第１の照明領域に向けて反射し、この第１の照明領域を照明するのに用いられるため、第１の照明領域には、十分な光量の光が照射される。よって、第１の照明領域については、カラー液晶装置を配置して表示領域として用い、第２の照明領域については、キーボタンを配置してキーパッド領域として用いれば、カラー液晶装置には、光量が十分な光が照射されるので、品位の高いカラー表示を行なうことができるとともに、キーパッド領域に配置されたキーボタンを適度に照明することができる。
【００１２】
本発明において、前記第１の反射材と前記補助反射材とは、一体に形成されていることが好ましい。このように構成すると、部品点数を削減できる。また、前記補助反射材を前記補助反射材取り付け部に配置することにより、前記導光板と前記第１の反射材とを位置決めするように構成することもできる。このように構成すると、照明装置の組立工程において導光板と第１の反射材との位置決め作業を簡略化することができる。
【００１３】
本発明において、前記補助反射材取り付け部は、例えば、前記第１の照明領域と前記第２の照明領域との境界部分に沿って延びている。
【００１７】
本発明において、前記補助反射材取り付け部の前記第１の照明領域の側に位置する端面、および前記補助反射材の前記第１の照明領域の側に位置する端面には、互いに嵌まり合う凹凸が形成されている構成を採用してもよい。このように構成すると、特定の方向から補助反射材取り付け部に光が進んできても、この光を分散して第１の照明領域に反射させることができる。
【００１８】
本発明において、前記第１の反射材は、前記側壁部分と、前記第１の照明領域の下面に重ねられる底壁部分と有する場合があり、この場合には、前記第２の照明領域に、前記第１の反射材と別体の第２の反射材を重ねた構成を採用してもよい。
【００２０】
本発明において、前記第２の反射材は、例えば、シート状のものを採用することが好ましい。第２の反射材は、導光板に重ねられるものであるから、シート状のものを用いて、照明装置の薄型化を図ることが好ましい。
【００２２】
本発明に係る照明装置は、例えば、電話機や無線機などの電子機器において、表示領域やキーボタンを内部から照明するのに用いることができる。このように構成するには、前記第１の照明領域を、前記光源からの光によって所定の表示を行う電気光学装置が配置された表示領域として用い、前記第２の照明領域を、複数のキーボタンが配置されたキーパッド領域として用いる。このように構成すると、キーパッド領域に配置したキーボタンを適度に照明することができるとともに、表示領域に配置した電気工学装置に十分な光を照射できるので、品位の高い表示を行なうことができる。
【００２３】
本発明において、前記キーパッド領域には、透光性を有する前記キーボタンが配置される複数のボタン穴を形成することが好ましい。このように構成すると、キーパッド領域において、光をキーボタンを側面から入射させてキーボタンを照明することができる。このように構成すると、キーボタンと導光板とを厚さ方向に重ねる必要がないので、照明装置の薄型化を図ることができるとともに、ボタンを品位よく照明することができる。
【００２４】
本発明において、前記電気光学装置は、例えば、液晶装置である。
【００２５】
本発明は、前記液晶装置としてカラー液晶装置を用いた場合に適用すると、カラー液晶装置に十分な光量で光を照射できるので、品位の高いカラー表示を行なうことができる。
【００２６】
【発明の実施の形態】
添付図面を参照して、本発明の実施の形態を説明する。
【００２７】
［実施の形態１］
（電子機器の全体構成）
図１は、本発明が適用された電子機器の一例である携帯電話機の外観を示す斜視図、図２は、この携帯電話機の要部の構成を示す分解斜視図である。図３は、この携帯電話機において、回路基板、第１の反射材、第２の反射材、導光板、光拡散シート、液晶装置を重ねた状態を示す縦断面図であり、図４は、第１の反射材に導光板を重ねた状態を示す平面図である。なお、本形態の照明装置および電子機器の基本的な構成は、従来のものと共通するので、共通する部分には同一の符号を付して説明する。
【００２８】
図１において、本形態の携帯電話機１には、その上半部分に、電気光学装置としての液晶装置４００を用いた表示部２が構成され、下半部には、複数のキーボタン１０１が配置された操作部３が構成されている。表示部２の上方位置にはスピーカ穴４が形成され、操作部の下方位置にはマイク穴５が形成されている。
【００２９】
図２に示すように、携帯電話機１は、下ケース６、この携帯電話機１の全ての機能を担う各種の電気回路が形成された回路基板７、照明装置１０、光拡散シート８、電気光学装置として各種の表示を行なう液晶装置４００、および上ケース９がこの順に重ねられた構成になっている。なお、図２には、スピーカあるいはマイクなどの図示を省略してある。
【００３０】
照明装置１０は、ＬＥＤなどからなる光源１１、透明なプラスチック成形品などからなる導光板１２、プラスチック成形品などからなる第１の反射材１５、およびシート状の第２の反射材１７から構成されている。
【００３１】
照明装置１０において、導光板１２には、液晶装置４００が配置される表示領域１２１（第１の照明領域）が矩形の凹部として形成されているとともに、表示領域１２１に隣接する領域には、複数のキーボタン１０１が配置されるキーパッド領域１２２（第２の照明領域）が形成されている。導光板１２の先端部分には、ＬＥＤなどからなる光源１１をそれぞれ配置する凹部１２３が２箇所に形成されている。導光板１２の表示領域１２１では、底壁１２４の先端側の隅部分に、液晶装置４００と回路基板７とをフレキシブル基板やラバーコネクタなどを介して電気的に接続するための矩形の貫通穴１２５が形成されている。
【００３２】
第１の反射材１５は、導光板１２の矩形の表示領域１２１の四周のうち、キーパッド領域１２２が位置する側を除く導光板１２の三方の外周端面を囲む３つの側壁部分１５１、１５２、１５３と、表示領域１２１の下面に重ねられる底壁部分１５４とを有している。第１の反射材１５の底壁部分１５４にも、導光板１２の貫通穴１２５と重なる位置に矩形の貫通穴１５５が形成されている。また、第１の反射材１５の底壁部分１５４には、導光板１２の凹部１２３と重なる位置にも貫通穴１５９が形成されている。この貫通穴１５９は、回路基板７に第１の反射材１５および導光板１２を重ねたとき、回路基板７に実装されている光源１１を導光板１２の凹部１２３に通すための穴である。
【００３３】
本形態において、第１の反射材１５は、全体が白色のプラスチック成形品から構成されていることにより、側壁部分１５１、１５２、１５３および底壁部分１５４が反射面として形成されている。また、第１の反射材１５において、側壁部分１５１、１５２、１５３および底壁部分１５４に反射性を有する塗料を塗布、あるいは反射シートを貼付することにより、これらの面が反射面として形成されている。
【００３４】
一方、キーパッド領域１２２には、第１の反射材１５とは別体のシート状の第２の反射材１７が重ねられている。
【００３５】
上ケース９の操作部３、導光板１２のキーパッド領域１２２、およびシート状の第２の反射材１７には、透光性を有するキーボタン１０１が配置されるボタン穴９０、１２０、１７０が互いに重なる位置に形成され、これらの複数のボタン穴９０、１２０、１７０の内部にキーボタン１０１がそれぞれ配置される。
【００３６】
（本形態の照明装置１０の特徴部分）
このように構成した照明装置１０の導光板１２において、表示領域１２１とキーパッド領域１２２との間には、表示領域１２１からキーパッド領域１２２の側に向かって出射される光を部分的に遮る位置に、長穴からなる補助反射材取り付け部１２６が形成されている。すなわち、導光板１２には、表示領域１２１とキーパッド領域１２２との境界領域においてその幅方向における略中央位置で両端付近を残すように、表示領域１２１とキーパッド領域１２２との境界領域に沿って延びた補助反射材取り付け部１２６が長穴として形成されている。
【００３７】
これに対して、第１の反射材１５の底壁部分１５４からは、第１の反射材１５と導光板１２とを重ねたときに、導光板１２の補助反射材取り付け部１２６に嵌まる突起１５６（補助反射材）が突き出ている。ここで、突起１５６は第１の反射材１５の一部であり、この第１の反射材１５は、白色のプラスチック成形品から構成されていることにより、突起１５６において表示領域１２１の側に位置する端面が反射面になっている。また、突起１５６において、表示領域１２１の側に位置する端面に反射性を有する塗料を塗布、あるいは反射シートを貼付することにより、この端面を反射面として形成する場合もある。
【００３８】
このように構成した各部材を用いて携帯電話機２の照明装置１０を組み立てる際には、例えば、図３に示すように、導光板１２のキーパッド領域１２２の下面にシート状の第２の反射材１７を重ね、接着などの方法で固定する。
【００３９】
一方、導光板１２の表示領域１２１の側では、図３および図４に示すように、補助反射材取り付け部１２６に第１の反射材１５の突起１５６が嵌るように、第１の反射材１５と導光板１２とを重ねる。この際、導光板１２の補助反射材取り付け部１２６に第１の反射材１５の突起１５６が嵌まると、第１の反射材１５と導光板１２とは自動的に位置決めされるので、この状態で双方を固定するだけで、第１の反射材１５と導光板１２を所定の状態に固定することができる。
【００４０】
次に、導光板１２の表示領域１２１に液晶装置４００を配置し、このように各部材を積層したユニットを回路基板７に重ねる。ここで、回路基板７には光源１１が実装されているので、光学ユニットを回路基板７に重ねると、光源１１は、第１の反射材１５の貫通穴１５９を通り抜けて導光板１２の凹部１２３に配置されることになる。また、回路基板７に対して、液晶装置４００の各端子をフレキシブル基板やラバーコネクタなどを用いて電気的に接続する。
【００４１】
（液晶装置４００の構成）
図５ないし図７を参照して、本形態の携帯電話機１において電気光学装置として用いた液晶装置４００の構成を説明する。
【００４２】
図５および図６はそれぞれ、液晶装置４００の斜視図および分解斜視図である。図７は、液晶装置４００を図５のＩ−Ｉ′線で切断したときのＩ′側の端部の断面図である。
【００４３】
図５および図６において、液晶装置４００は、パッシブマトリクス型のカラー液晶装置であり、所定の間隙を介してシール材４３０によって貼り合わされた矩形のガラスなどからなる一対の透明基板間にシール材４３０によって液晶封入領域４３５が区画されているとともに、この液晶封入領域４３５内に液晶が封入されている。ここでは、前記一対の透明基板のうち、液晶封入領域４３５内で縦方向に延びる複数列の第１の電極パターン４４０が形成されている方の基板を第１の透明基板４１０とし、液晶封入領域４３５内で横方向に延びる複数列の第２の電極パターン４５０が形成されている方の基板を第２の透明基板４２０とする。
【００４４】
ここに示す液晶装置４００は透過型であり、図２に示す照明装置１０をバックライトとして所定の表示を行なう。このため、第２の透明基板４２０の外側表面には偏光板４６１が貼られ、第１の透明基板４１０の外側表面には偏光板４６２が貼られている。
【００４５】
図７に示すように、第２の透明基板４２０には、第１の電極パターン４４０と第２の電極パターン４５０との交点に相当する領域に、赤（Ｒ）、緑（Ｇ）、青（Ｂ）のカラーフィルタ４０７Ｒ、４０７Ｇ、４０７Ｂが形成され、これらのカラーフィルタ４０７Ｒ、４０７Ｇ、４０７Ｂの表面側に絶縁性の平坦化膜４２６、第２の電極パターン４５０、および配向膜４２２がこの順に形成されている。これに対して、第１の透明基板４１０には、第１の電極パターン４４０および配向膜４１２がこの順に形成されている。この液晶装置４００において、第１の電極パターン４４０および第２の電極パターン４５０は、いずれもＩＴＯ膜（Ｉｎｄｉｕｍ  Ｔｉｎ  Ｏｘｉｄｅ／透明導電膜）によって形成されている。
【００４６】
このように構成した液晶装置４００では、第１の透明基板４１０の側から入射した光は、第２の透明基板４２０の側から出射され、その間に液晶４０４による光変調が行われる。
【００４７】
再び、図５および図６において、液晶装置４００では、外部からの信号入力および基板間の導通のいずれを行うにも、第１の透明基板４１０および第２の透明基板４２０の同一方向に位置する各基板辺４１８、４２８付近において第１の透明基板４１０および第２の透明基板４２０のそれぞれに形成されている第１の端子形成領域４１１および第２の端子形成領域４２１が用いられる。ここで、第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５に形成されている各端子をラバーコネクタあるいはフレキシブル基板を介して回路基板７（図２を参照）に電気的に接続する。
【００４８】
このため、第２の透明基板４２０において、第２の端子形成領域４２１は、基板辺４２１に近い部分が第１の透明基板４１０から張り出した部分４２５に形成され、この基板辺４２１に近い端子領域部分の表面は開放状態にある。これに対して、第２の透明基板４２０において、第２の端子形成領域４２１の液晶封入領域４３５の側に位置する部分は、第１の透明基板４１０の側との基板間導通用に用いられるので、第２の端子形成領域４２１のうち、液晶封入領域４３５の側に位置する部分は、第１の透明基板４１０との重なり部分に形成されている。
【００４９】
また、第１の透明基板４１０において、第１の端子形成領域４１１は、第２の透明基板４２０の側との基板間導通に用いられるので、第２の透明基板４２０との重なり部分に形成されている。
【００５０】
従って、第１の透明基板４１０と第２の透明基板４２０とを導通剤を含有するシール材４３０で貼り合わせて基板間で基板間導通用端子同士を導通させた状態で、第２の透明基板４２０の第２の端子形成領域４２１に対してフレキシブル基板やラバーコネクタなどを介して回路基板７から信号入力すれば、第１の電極パターン４４０および第２の電極パターン４５０に所定の電圧を印加できるので、第１の電極パターン４４０と第２の電極パターン４５０との交点に相当する画素を各々駆動することができる。
【００５１】
（本形態の効果）
このように構成した照明装置１０および携帯電話機１において、図２、図３および図４からわかるように、光源１１から出射された光は、導光板１２に入射し、第１の反射材１５の側壁部分１５１、１５２、１５３および底壁部分１５４で反射しながら、表示領域１２１に配置された液晶装置４００を照明する。また、導光板１２には、表示領域１２１からキーパッド領域１２２に向かう光を部分的に遮る位置に補助反射材取り付け部１２６が形成され、この補助反射材取り付け部１２６には、補助反射材としての突起１５６が嵌まっているため、表示領域１２１からキーパッド領域１２２に向かう光は、図４に矢印Ｌ２で示すように、一部が突起１５６によって表示領域１２１に向けて反射して液晶装置４００に入射し、残りの光は、図４に矢印Ｌ１で示すように、キーパッド領域１２２に向かって進んでキーパッド領域１２２においてキーボタン１０１を照明する。従って、本形態によれば、共通の光源１１で、表示領域１２１の液晶装置４００を照明できるとともに、キーパッド領域１２２のキーボタン１０１も照明できる。それ故、キーボタン１０１を照明するだけの光源を設けるとしても、この光源については、光量が少なくて済む分、消費電力の小さなものを用いればよい。あるいは、キーボタン１０１を照明するだけの光源については、省略することも可能である。
【００５２】
また、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００では、品位の高いカラー表示を行なうことができるとともに、キーパッド領域１２２に配置されたキーボタン１０１を適度に照明することもできる。
【００５３】
また、本形態では、表示領域１２１からキーパッド領域１２２に向かう光の一部を表示領域１２１に向けて反射する補助反射材としての突起１５６が第１の反射材１５に一体に形成されているので、別体の補助反射材を補助用反射材取り付け部１２６に嵌め込んだ構成と比較して部品点数を削減できる。しかも、補助反射材としての突起１５６を導光板１２の補助反射材取り付け部１２６に嵌めるだけで、導光板１２と第１の反射材１５とを位置決めすることができるので、照明装置１０および携帯電話機２の組立工程を簡略化することができる。
【００５４】
さらに、本形態において、キーパッド領域１２２には、透光性を有するキーボタン１０１が配置される複数のボタン穴１２０が形成され、これらのボタン穴１２０の内部に透光性のキーボタン１０１が配置されている。このため、キーパッド領域１２２において、導光板１２を進んできた光は、キーボタン１０１の側面から入射してキーボタン１０１を照明する。このため、キーボタン１０１と導光板１２とを厚さ方向に重ねる必要がないので、照明装置１０の薄型化を図ることができるとともに、キーボタン１０１を品位よく照明することができる。
【００５５】
さらにまた、本形態では、第２の反射材１７として、シート状のものを採用したため、第２の反射材１７を導光板１２に重ねたとしても、照明装置１０の薄型化を図ることができる。
【００５６】
［実施の形態２］
図８は、本発明の実施の形態２に係る携帯電話機に用いた照明装置のうち、導光板の補助反射材取り付け部、および第１の反射材に形成された補助反射材としての突起を拡大して示す説明図である。なお、本形態、および後述する各実施の形態に係る携帯電話機に用いた照明装置は、基本的な構成が共通するので、共通する部分には、同一の符号を付して図示することにして、それらの説明を省略する。
【００５７】
図８に示すように、本形態の携帯電話機の照明装置１０でも、導光板１２において、表示領域１２１とキーパッド領域１２２との間には、表示領域１２１からキーパッド領域１２２に向かう光を部分的に遮る位置に、長穴からなる補助反射材取り付け部１２６が形成されている。すなわち、導光板１２には、表示領域１２１とキーパッド領域１２２との境界領域においてその幅方向における略中央位置で両端付近を残すように、表示領域１２１とキーパッド領域１２２との境界領域に沿って延びた補助反射材取り付け部１２６が形成されている。これに対して、本形態でも、実施の形態１に関して図２を参照して説明したように、第１の反射材１５の底壁部分からは、第１の反射材１５と導光板１２とを重ねたときに、導光板１２の補助反射材取り付け部１２６に嵌まる突起１５６（補助反射材）が突き出ている。
【００５８】
このような基本的な構成は、実施の形態１と同様であるが、本形態では、補助反射材取り付け部１２６の表示領域１２１の側に位置する端面１２８、および補助反射材としての突起１５６の表示領域１２１の側に位置する端面１５８には、互いに嵌まり合う三角形状の凹凸が形成されている。その他の構成は、実施の形態１と同様であるため、説明を省略する。
【００５９】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射されるなど、実施の形態１と同様な効果を奏する。
【００６０】
また、表示領域１２１から突起１５６に向かう光は、特定箇所に集中しがちであるが、本形態では、補助反射材取り付け部１２６の表示領域１２１の側に位置する端面１２８、および補助反射材としての突起１５６の表示領域１２１の側に位置する端面１５８には、三角形状の凹凸が形成されているため、突起１２６に向かって進行してきた光は、表示領域１２１に向けて分散した状態で反射される。それ故、液晶装置４００には、光がむらなく照射されるので、品位の高いカラー表示を行なうことができる。
【００６１】
［実施の形態３］
図９は、本発明の実施の形態３に係る携帯電話機に用いた照明装置において、第１の反射材に導光板を重ねた状態を示す平面図である。
【００６２】
図９に示すように、本形態の携帯電話機の照明装置１０に用いた導光板１２にも、表示領域１２１とキーパッド領域１２２との間には、表示領域１２１とキーパッド領域１２２との境界領域に沿って、複数の丸穴からなる補助反射材取り付け部１２６が並んでいる。これに対して、第１の反射材１５の底壁部分からは、第１の反射材１５と導光板１２とを重ねたときに、導光板１２の補助反射材取り付け部１２６の各々に嵌まる複数の円柱状の突起１５６（補助反射材）が突き出ている。その他の構成は、実施の形態１と同様であるため、説明を省略する。
【００６３】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００には、十分な光量の光が照射されるので、品位の高いカラー表示を行なうことができるなど、実施の形態１と同様な効果を奏する。
【００６４】
また、表示領域１２１から突起１５６に向かう光は、特定箇所に集中しがちであるが、本形態では、複数の、しかも、円柱状の突起１５６を補助反射材として用いたので、突起１２６に向かって進行してきた光は、表示領域１２１に向けて分散した状態で反射される。それ故、液晶装置４００には、光がむらなく照射されるので、品位の高いカラー表示を行なうことができる。
【００６５】
［実施の形態４］
図１０は、本発明の実施の形態４に係る携帯電話機に用いた照明装置において、第１の反射材に導光板を重ねた状態を示す平面図である。
【００６６】
図１０に示すように、本形態の携帯電話機の照明装置１０において、導光板１２の両側端部には、表示領域１２１とキーパッド領域１２２との境界部分で導光板１２の幅を部分的に括れさす切欠きからなる補助反射材取り付け部１２６が形成されている。これに対して、本形態でも、第１の反射材１５の底壁部分からは、第１の反射材１５と導光板１２とを重ねたときに、導光板１２の補助反射材取り付け部１２６の各々に嵌まる突起１５６（補助反射材）が突き出ている。その他の構成は、実施の形態１と同様であるため、説明を省略する。
【００６７】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００には、十分な光量の光が照射されるので、品位の高いカラー表示を行なうことができるなど、実施の形態１と同様な効果を奏する。
【００６８】
［実施の形態５］
図１１は、本発明の実施の形態５に係る携帯電話機に用いた照明装置において、第１の反射材に導光板を重ねた状態を示す平面図である。
【００６９】
図１１に示すように、本形態の携帯電話機の照明装置１０において、導光板１２には、表示領域１２１よりもキーパッド領域１２２の幅を狭くする段差部分からなる補助反射材取り付け部１２６が形成されている。これに対して、本形態でも、第１の反射材１５からは、第１の反射材１５と導光板１２とを重ねたときに、導光板１２の補助反射材取り付け部１２６の各々に当接する突起１５６（補助反射材）が側壁１５１、１５３から内側に延びている。その他の構成は、実施の形態１と同様であるため、説明を省略する。
【００７０】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００には、十分な光量の光が照射されるので、品位の高いカラー表示を行なうことができるなど、実施の形態１と同様な効果を奏する。
【００７１】
［実施の形態６］
図１２は、本発明の実施の形態６に係る携帯電話機の要部を示す分解斜視図である。
【００７２】
図１２に示すように、本形態の携帯電話機１では、下ケース６、この携帯電話機１の全ての機能を担う各種の電気回路が形成された回路基板７、照明装置１０、光拡散シート８、電気光学装置として各種の表示を行なう液晶装置４００、および上ケース９がこの順に重ねられた構成になっており、照明装置１０は、ＬＥＤなどからなる光源１１、プラスチック製の透明な導光板１２、第１の反射材１５、およびシート状の第２の反射材１７から構成されている。
【００７３】
本形態において、第１の反射材１５は、側壁部分１５１、１５２、１５３を有しているが、底壁部分のない枠形状になっている。従って、第１の反射材１５には、表示領域１２１の下面に重なる部分がないので、本形態では、シート状の第２の反射材１７は、表示領域１２１およびキーパッド領域１２２の双方の下面に重ねる大きさを有している。
【００７４】
また、本形態の照明装置１０の導光板１２において、表示領域１２１とキーパッド領域１２２との間には、表示領域１２１からキーパッド領域１２２に向かう光を部分的に遮る位置に、長穴からなる補助反射材取り付け部１２６が形成されている。これに対して、第１の反射材１５からは、第１の反射材１５と導光板１２とを重ねたときに、導光板１２の補助反射材取り付け部１２６に上方から嵌まる突起１５６（補助反射材）が下方に突き出ている。その他の構成は、実施の形態１と同様であるため、説明を省略する。
【００７５】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００には、十分な光量の光が照射されるので、品位の高いカラー表示を行なうことができるなど、実施の形態１と同様な効果を奏する。
【００７６】
［実施の形態７］
図１３は、本発明の実施の形態７に係る携帯電話機の要部を示す分解斜視図である。
【００７７】
図１３に示すように、本形態の携帯電話機１でも、下ケース６、この携帯電話機１の全ての機能を担う各種の電気回路が形成された回路基板７、照明装置１０、光拡散シート８、電気光学装置として各種の表示を行なう液晶装置４００、および上ケース９がこの順に重ねられた構成になっており、照明装置１０は、ＬＥＤなどからなる光源１１、プラスチック製の透明な導光板１２、第１の反射材１５、およびシート状の第２の反射材１７から構成されている。
【００７８】
本形態において、第１の反射材１５は、表示領域１２１の三方を囲む側壁部分１５１、１５２、１５３と、表示領域１２１の下面に重ねられる底壁部分１５４と、キーパッド領域１２２の下面に重なるように延設された延設部分１５７とを備えている。このような構成の第１の反射材１５は、例えば、薄板状のものから側壁部分１５１、１５２、１５３を折り曲げて形成することができる。
【００７９】
また、本形態の照明装置１０の導光板１２において、表示領域１２１とキーパッド領域１２２との間には、表示領域１２１からキーパッド領域１２２に向かう光を部分的に遮る位置に、スリット状の補助反射材取り付け部１２６が形成されている。これに対して、第１の反射材１５からは、第１の反射材１５と導光板１２とを重ねたときに、導光板１２の補助反射材取り付け部１２６に嵌まる突起１５６（補助反射材）が突き出ている。このような突起１５６は、薄板状のものを第１の反射材１５に接着固定することによって形成できる。その他の構成は、実施の形態１と同様であるため、説明を省略する。
【００８０】
このように構成した照明装置１０でも、表示領域１２１からキーパッド領域１２２に向かう光の一部は、突起１５６よって反射されて表示領域１２１の液晶装置４００を照射するのに用いられるため、液晶装置４００は、十分な光量をもって照射される。それ故、液晶装置４００には、十分な光量の光が照射されるので、品位の高いカラー表示を行なうことができるなど、実施の形態１と同様な効果を奏する。
【００８１】
また、第１の反射材１２によってキーパッド領域１２２での反射を行うため、第１の反射材１２と別体の第２の反射材をキーパッド領域１２２の下面に重ねる必要がないので、部品点数を削減できる。
【００８２】
［その他の実施の形態］
なお、上記のいずれの実施の形態でも、補助反射材が突起１５６として第１の反射材１５に一体に形成されていたが、第１の反射材１５とは別体の補助反射材を導光板１２の補助反射材取り付け部１２６に配置してもよく、このように構成した場合も、表示領域１２１を集中的に照明することができる。
【００８３】
また、上記のいずれの実施の形態でも、表示領域１２１に配置する電気光学装置として液晶装置を用いたが、照明によって表示機能を果たすもの、あるいは照明によって表示の品位が向上するものであれば、その他の電気光学装置を用いてもよい。
【００８４】
さらに、上記のいずれの実施の形態でも、携帯電話機１に本発明を適用した例を説明したが、その他の電子機器に搭載される照明装置１０に本発明を適用してもよい。
【００８５】
さらにまた、上記のいずれの実施の形態でも、導光板１２において照明すべき領域が表示領域１２１とキーパッド領域１２２の例を説明したが、これに限らず、導光板１２において第１の照明領域と第２の照明領域が設定され、これらの照明領域のうち、第１の照明領域を集中して照明したい照明装置１０であれば、いかなる照明装置に本発明を適用してもよい。
【００８６】
【発明の効果】
以上説明したように、本発明に係る電子機器では、光源から出射された光は、導光板に入射し、第１の反射材の側壁部分などで反射しながら第１の照明領域に照射される。また、第１の照明領域から第２の照明領域に向かう光は、一部が補助反射材によって第１の照明領域に向けて反射し、残りの光は、第２の照明領域に向かって進んで第２の照明領域を照射する。従って、共通の光源で第１の照明領域を照明できるとともに、第２の照明領域も照明できる。さらに、第１の照明領域から第２の照明領域に向かう光の一部は、補助反射材によって第１の照明領域に向けて反射し、この第１の照明領域を照明するのに用いられるため、第１の照明領域には、十分な光量の光が照射される。よって、第１の照明領域については、カラー液晶装置を配置して表示領域として用い、第２の照明領域については、キーボタンを配置してキーパッド領域として用いれば、カラー液晶装置には、光量が十分な光が照射されるので、品位の高いカラー表示を行なうことができるとともに、キーパッド領域に配置されたキーボタンを適度に照明することもできる。
【図面の簡単な説明】
【図１】本発明が適用される電子機器の一例である携帯電話機の外観を示す斜視図である。
【図２】図１に示す携帯電話機の要部の構成を示す分解斜視図である。
【図３】図１に示す携帯電話機において、回路基板、第１の反射材、第２の反射材、導光板、光拡散シート、液晶装置を重ねた状態を示す縦断面図である。
【図４】図１に示す携帯電話機において、第１の反射材に導光板を重ねた状態を示す平面図である。
【図５】図１に示す携帯電話機に用いた液晶装置の斜視図である。
【図６】図５に示す液晶装置の分解斜視図である。
【図７】図５に示す液晶装置を図５のＩ−Ｉ′線で切断したときのＩ′側の端部の断面図である。
【図８】本発明の実施の形態２に係る携帯電話機に用いた照明装置のうち、導光板の補助反射材取り付け部、および第１の反射材に形成された補助反射材としての突起を拡大して示す説明図である。
【図９】本発明の実施の形態３に係る携帯電話機に用いた照明装置において、第１の反射材に導光板を重ねた状態を示す平面図である。
【図１０】本発明の実施の形態４に係る携帯電話機に用いた照明装置において、第１の反射材に導光板を重ねた状態を示す平面図である。
【図１１】本発明の実施の形態５に係る携帯電話機に用いた照明装置において、第１の反射材に導光板を重ねた状態を示す平面図である。
【図１２】本発明の実施の形態６に係る携帯電話機の要部を示す分解斜視図である。
【図１３】本発明の実施の形態７に係る携帯電話機の要部を示す分解斜視図である。
【図１４】従来の携帯電話機の要部の構成を示す分解斜視図である。
【図１５】図１４に示す携帯電話機において、回路基板、第１の反射材、第２の反射材、導光板、光拡散シート、液晶装置を重ねた状態を示す縦断面図である。
【図１６】図１４に示す携帯電話機において、第１の反射材に導光板を重ねた状態を示す平面図である。
【符号の説明】
１  携帯電話機
２  表示部
３  操作部
４  スピーカ穴
５  マイク穴
６  下ケース
７  回路基板
８  光拡散シート
９  上ケース
１０  照明装置
１１  光源
１２  導光板
１５  第１の反射材
１７  第２の反射材
９０、１２０、１７０  ボタン穴
１０１  キーボタン
１２１  表示領域（第１の照明領域）
１２２  キーパッド領域（第２の照明領域）
１２３  導光板の凹部
１２４  導光板の底壁
１２５  導光板の貫通穴
１２６  補助反射材取り付け部
１５１、１５２、１５３  第１の反射材の側壁部分
１５４  第１の反射材の底壁部分
１５５、１５９  第１の反射材の貫通穴
１５６  突起（補助反射材）
４００  液晶装置（電気光学装置）
４０７Ｒ、４０７Ｇ、４０７Ｂ  カラーフィルタ
４０４  液晶
４１０  第１の透明基板
４１２、４２２  配向膜
４１８、４２８  基板辺
４１１  第１の端子形成領域
４２０  第２の透明基板
４２１  第２の端子形成領域
４２５  透明基板が張り出す部分
４２６  平坦化膜
４３０  シール材
４３５  液晶封入領域
４４０  第１の電極パターン
４５０  第２の電極パターン
４６１、４６２  偏光板
【図１】
0003885474.tif 000002
【図２】
0003885474.tif 000003
【図３】
0003885474.tif 000004
【図４】
0003885474.tif 000005
【図５】
0003885474.tif 000006
【図６】
0003885474.tif 000007
【図７】
0003885474.tif 000008
【図８】
0003885474.tif 000009
【図９】
0003885474.tif 000010
【図１０】
0003885474.tif 000011
【図１１】
0003885474.tif 000012
【図１２】
0003885474.tif 000013
【図１３】
0003885474.tif 000014
【図１４】
0003885474.tif 000015
【図１５】
0003885474.tif 000016
【図１６】
0003885474.tif 000017